(57)【要約】【課題】大小のコンクリート塊をジョークラッシャに常にスムースに投入できるように投入部の構造を改良する。【解決手段】ホッパー１５の下部に固定盤３と可動盤８とが逆八字状に配置され、油圧シリンダ１１により該可動盤は下端部の支軸９を支点とし煽動するように枢支され、前記ホッパーより投入されたコンクリート塊１６を該可動盤の煽動により破砕するジョークラッシャにおいて、可動盤の上端面１８を前記支軸を曲率中心とする円弧面状に形成するとともに、ホッパーの内壁面に下端縁２１が該可動盤の上端面上に摺接する案内板２０を吊下する。また、案内板２０の下端縁２１を可動盤の上端面１８にその頂部２２より内側にて摺接させる。【選択図】  図１
2004216265.tif 000002
【特許請求の範囲】
【請求項１】
ホッパーの下部に固定盤と可動盤とが逆八字状に配置され、油圧シリンダにより該可動盤は下端部の支軸を支点とし煽動するように枢支され、前記ホッパーより投入されたコンクリート塊を該可動盤の煽動により破砕するジョークラッシャにおいて、可動盤の上端面を前記支軸を曲率中心とする円弧面状に形成するとともに、ホッパーの内壁面に下端縁が該可動盤の上端面上に摺接する案内板を吊下してなることを特徴としたジョークラッシャのコンクリート塊投入部構造。
【請求項２】
案内板の下端縁は可動盤の上端面にその頂部より内側にて摺接するようにした請求項１に記載のジョークラッシャのコンクリート塊投入部構造。
【発明の詳細な説明】
【０００１】
【発明の属する技術分野】
本発明はジョークラッシャにコンクリート塊を円滑に投入するための投入部の構造に関するものである。
【０００２】
【従来の技術】
ジョークラッシャは、周知のように固定盤と可動盤とが逆八字状に配置され、油圧シリンダにより該可動盤が下端部を支点とし煽動するように枢支されたものであり、生コン工場やコンクリート二次製品事業所等で発生する多量のコンクリート塊、或いはコンクリート建造物解体によって発生する多量のコンクリート塊、その他の塊を破砕するのに使用される。
【０００３】
【特許文献１】
特開２００１−６２３１８号公報
【０００４】
【発明が解決しようとする課題】
ところで上記特許文献１に記載された本発明者の特許出願に係るジョークラッシャのコンクリート塊投入装置は、ジョークラッシャの可動盤上に該可動盤ととともに煽動する傾斜シュートを固設し、該ジョークラッシャ上に設けられた漏斗状のホッパーの下端開口に該傾斜シュートを臨ませてなるものであったが、傾斜シュート上に大きなコンクリート塊が乗ると該傾斜シュートが煽動する際に破壊されるおそれがあった。また、小さいコンクリート塊がホッパーとの隙間に挟入し、可動盤が煽動することによってホッパーを破壊するおそれがあった。
【０００５】
本発明は上記課題に鑑み、大小のコンクリート塊をジョークラッシャに常にスムースに投入できるように投入部の構造を改良するものである。
【０００６】
【課題を解決するための手段】
そのために本発明に係るジョークラッシャのコンクリート塊投入部構造は、ホッパーの下部に固定盤と可動盤とが逆八字状に配置され、油圧シリンダにより該可動盤は下端部の支軸を支点とし煽動するように枢支され、前記ホッパーより投入されたコンクリート塊を該可動盤の煽動により破砕するジョークラッシャにおいて、可動盤の上端面を前記支軸を曲率中心とする円弧面状に形成するとともに、ホッパーの内壁面に下端縁が該可動盤の上端面上に摺接する案内板を吊下してなることを特徴とする。
また、本発明は上記投入部構造において、案内板の下端縁は可動盤の上端面にその頂部より内側にて摺接するようにしたことを特徴とする。
【０００７】
【発明の実施の形態】
次に本発明の実施の形態を図面と共に説明する。図１に示したジョークラッシャ１は、機枠２内に固設された横架材４，５に固定盤３を固定し、該固定盤に前面が少し上向状なるように受歯板６を固定し、該受歯板は前面に三角山形の破砕歯を縦筋状に形成してなるとともに、機枠２内に固設された横架材７に可動盤８の下端部を支軸９を介して枢支し、該可動盤の前面に前記受歯板６と相対する押歯板１０を固定し、該押歯板も前面に三角山形の破砕歯を縦筋状に形成してなり、該押歯板１０が前記受歯板６と噛み合い得るよう構成される。１１は高出力の油圧シリンダで、該油圧シリンダの一端を機枠２内に固設された横架材１２にピン１３を介して屈折自在に連結するとともに、他端を可動盤８の背面にピン１４を介して屈折自在に連結している。このため該油圧シリンダ１１が伸縮作動すると可動盤８が押し引きされ、該可動盤が支軸９を支点として図中矢印で示したように開閉動（煽動）し得るものである。
【０００８】
また、１５は受歯板６と押歯板１０の間にコンクリート塊１６を落下投入するべく設けられたホッパーである。また、図２にも示したように、可動盤８の上部に円弧状板１７を固着することにより該可動盤８の上端面１８が前記支軸９を曲率中心とする円弧面状なるようにしている。そして、ホッパー１５の内壁面に可撓性部材１９を介して案内板２０を吊下し、該案内板の下端縁２１を前記上端面１８上に摺接させることで該案内板２０を傾斜状にする。なお、該案内板の下端縁２１は前記上端面１８にその頂部２２より内側にて摺接するようにしている。
【０００９】
また、２３はジョークラッシャ１の上部に設けられたコンクリート塊定量供給装置で、スノコ２４が台２５により傾斜状に支持され、シリンダ２６の作動により該スノコを進退動させることで、該スノコ上のコンクリート塊１６をホッパー１５に定量投入できるよう構成している。２７はホッパー１５内に傾斜状に固設された案内板である。
【００１０】
このため、ホッパー１５に投入されたコンクリート塊１６は、受歯板６と押歯板１０の間に落下し、油圧シリンダ１１の作動により可動盤が支軸９を支点として煽動することで該受歯板６と押歯板１０の間に挟まれて破砕され、破砕されたコンクリート塊はその隙間から下方に落下する。
【００１１】
上記案内板２０はホッパー１５に投入されたコンクリート塊１６を受歯板６と押歯板１０の間に落下させるように誘導するものであるが、該案内板２０の下端縁２１は支軸９を曲率中心とする円弧面状に形成された上端面１８上に摺接しているので、図３に示したように、油圧シリンダ８の作動により可動盤５が煽動しても案内板２０は従動しない。このためコンクリート塊１６を外部に零すことなく確実に受歯板６と押歯板１０の間に落下させることができる。しかも、案内板２０の下端縁２１は上端面１８にその頂部２２より内側にて摺接することから、該上端面１８上に乗った小さいコンクリート塊や土砂等が可動盤５が煽動する際に自重で常に内側に落下し、下端縁２１との隙間から外に零れ出ることがない。
【００１２】
こうして破砕されたコンクリート塊は、路盤材，再生骨材、あるいは、地中にヒューム管等を埋め戻しする際に使う隙間充填材等に有効利用される。
【００１３】
【発明の効果】
このように本発明に係るジョークラッシャのコンクリート塊投入部構造は、可動盤の上端面を前記支軸を曲率中心とする円弧面状に形成するとともに、ホッパーの内壁面に下端縁が該可動盤の上端面上に摺接する案内板を吊下してなるので、大小のコンクリート塊をジョークラッシャに常に円滑に投入することができ、従来のようにコンクリート塊がホッパーとの隙間に挟入することが原因で機器が破壊するようなおそれはなく、破砕作業を安全に行い得るようにする有益な効果がある。
【図面の簡単な説明】
【図１】本発明に係るジョークラッシャの実施形態を示した縦断面図。
【図２】図１の要部拡大図。
【図３】図１の作動状態図。
【符号の説明】
１    ジョークラッシャ
３    固定盤
８    可動盤
９    支軸
１１  油圧シリンダ
１５  ホッパー
１６  コンクリート塊
１７  円弧状板
１８  上端面
２０  案内板
２１  下端縁
２２  頂部
２３  コンクリート塊定量供給装置
【図１】
2004216265.tif 000003
【図２】
2004216265.tif 000004
【図３】
2004216265.tif 000005